【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
ユーザの頭部に装着可能とされた本体と、
前記ユーザが前記本体を頭部に装着して正面を見たときに視界から外れるとともに、前記ユーザが視線を下方にずらしたときにのみ視界に入るようにして前記本体に設けられており、所定のオブジェクトの画像を表示する表示部と、
を備えており、前記ユーザが前記本体を頭部に装着して正面を見たときに視界を確保できるようになっている疲労回復支援装置であって、
前記ユーザに対して水平方向に往復移動する前記オブジェクトの画像を生成すると共に、生成された前記オブジェクトの画像を、前記表示部に表示する画像生成手段を有しており、
前記オブジェクトの画像は、下方を見る前記ユーザがこれを目で追うようにすることで、前記ユーザの疲労を回復させられるようになっている、
疲労回復支援装置。
【請求項２】
ユーザの頭部に装着可能とされた本体と、
前記ユーザが前記本体を頭部に装着して正面を見たときに視界から外れるとともに、前記ユーザが視線を下方にずらしたときにのみ視界に入るようにして前記本体に設けられており、線状に配列された複数の発光体を有する発光部と、
を備えており、前記ユーザが前記本体を頭部に装着して正面を見たときに視界を確保できるようになっている疲労回復支援装置であって、
前記複数の発光体を順に発光させた際の光像が前記ユーザに対して水平方向に往復移動するように、前記複数の発光体を発光させる発光信号を生成すると共に、生成された前記発光信号に基づいて、前記複数の発光体を発光させる発光信号生成手段を有しており、
前記光像は、下方を見る前記ユーザがこれを目で追うようにすることで、前記ユーザの疲労を回復させられるようになっている、
疲労回復支援装置。
【請求項３】
前記表示部は、前記ユーザが、視線を下方に２０°以上ずらしたときにのみ視界に入るようにして前記本体に設けられている、
請求項１記載の疲労回復支援装置。
【請求項４】
前記表示部は、所定の幅および長さを有しており、
前記オブジェクトの画像は、前記表示部の長さ方向に往復移動するようになっている、
請求項１記載の疲労回復支援装置。
【請求項５】
前記画像生成手段は、前記オブジェクトの画像を、前記ユーザの瞬きを促す契機となる変化を伴うようなものとして生成する、
請求項１記載の疲労回復支援装置。
【請求項６】
前記画像生成手段は、前記オブジェクトの画像を、所定のタイミングで生成する、
請求項１、又は３ないし５のいずれかの項記載の疲労回復支援装置。
【請求項７】
前記表示部は、前記ユーザの右目の下側に位置する右目側表示部と、左目の下側に位置する左目側表示部とを含んでなる、
請求項１、又は３ないし６のいずれかの項記載の疲労回復支援装置。
【請求項８】
前記本体は、メガネ形状に形成されてなる、
請求項１、又は３ないし７のいずれかの項記載の疲労回復支援装置。
【請求項９】
前記本体は、下枠を有するメガネフレームを備えており、
前記表示部は、前記メガネフレームの下枠に設けられてなる、
請求項８記載の疲労回復支援装置。
【請求項１０】
前記発光部は、前記ユーザが、視線を下方に２０°以上ずらしたときにのみ視界に入るようにして前記本体に設けられている、
請求項２記載の疲労回復支援装置。
【請求項１１】
前記発光部は、所定の幅および長さを有しており、
前記光像は、前記発光部の長さ方向に往復移動するようになっている、
請求項２記載の疲労回復支援装置。
【請求項１２】
前記発光信号生成手段は、前記光像を、前記ユーザの瞬きを促す契機となる変化を伴うようなものとして生成する、
請求項２記載の疲労回復支援装置。
【請求項１３】
前記発光信号生成手段は、前記光像を、所定のタイミングで生成する、
請求項２、または１０ないし１２のいずれかの項記載の疲労回復支援装置。
【請求項１４】
前記発光部は、前記ユーザの右目の下側に位置する右目側発光部と、左目の下側に位置する左目側発光部とを含んでなる、
請求項２、または１０ないし１３のいずれかの項記載の疲労回復支援装置。
【請求項１５】
前記本体は、メガネ形状に形成されてなる、
請求項２、または１０ないし１４のいずれかの項記載の疲労回復支援装置。
【請求項１６】
前記本体は、下枠を有するメガネフレームを備えており、
前記発光部は、前記メガネフレームの下枠に設けられてなる、
請求項１５記載の疲労回復支援装置。
【手続補正２】
【補正対象書類名】明細書
【補正対象項目名】０００６
【補正方法】変更
【補正の内容】
【０００６】
本発明は、ユーザの頭部に装着可能とされた本体と、前記ユーザが前記本体を頭部に装着して正面を見たときに視界から外れるとともに、前記ユーザが視線を下方にずらしたときにのみ視界に入るようにして前記本体に設けられており、所定のオブジェクトの画像を表示する表示部と、を備えており、前記ユーザが前記本体を頭部に装着して正面を見たときに視界を確保できるようになっている疲労回復支援装置であって、前記ユーザに対して水平方向に往復移動する前記オブジェクトの画像を生成すると共に、生成された前記オブジェクトの画像を、前記表示部に表示する画像生成手段を有しており、前記オブジェクトの画像は、下方を見る前記ユーザがこれを目で追うようにすることで、前記ユーザの疲労を回復させられるようになっている、疲労回復支援装置を提供する。
【手続補正３】
【補正対象書類名】明細書
【補正対象項目名】００１０
【補正方法】変更
【補正の内容】
【００１０】
本発明はまた、ユーザの頭部に装着可能とされた本体と、前記ユーザが前記本体を頭部に装着して正面を見たときに視界から外れるとともに、前記ユーザが視線を下方にずらしたときにのみ視界に入るようにして前記本体に設けられており、線状（例えば、直線状）に配列された複数の発光体を有する発光部と、を備えており、前記ユーザが前記本体を頭部に装着して正面を見たときに視界を確保できるようになっている疲労回復支援装置であって、前記複数の発光体を順に発光させた際の光像が前記ユーザに対して水平方向に往復移動するように、前記複数の発光体を発光させる発光信号を生成すると共に、生成された前記発光信号に基づいて、前記複数の発光体を発光させる発光信号生成手段を有しており、前記光像は、下方を見る前記ユーザがこれを目で追うようにすることで、前記ユーザの疲労を回復させられるようになっている、疲労回復支援装置を提供する。
本発明の疲労回復支援装置の発光信号生成手段によって発光部に表示される光像は、下方を見るユーザがこれを目で追うようにすることで、ユーザの疲労を回復させられるようになっているので、上述の疲労回復支援装置と同様、それを見ることで強制的にユーザの副交感神経をはたらかせることができ、これによりユーザをリラックスした状態にすることが可能となり、頭痛や肩こり等の症状を緩和・予防することができる。
なお、本発明の発光体は、所定の光を発することができるものであればどのようなものであっても構わない。例えば、ＬＥＤ、光ファイバの先端部分を使用することができる。
【手続補正４】
【補正対象書類名】明細書
【補正対象項目名】００１１
【補正方法】変更
【補正の内容】
【００１１】
副交感神経をはたらかせるためには、ある程度伏し目にすることが必要であり、また、正面を向いたときに表示部または発光部が視界に入るようでは外界に対する視野を確保できず日常生活に差し支えることから、前記表示部は、前記ユーザが、視線を下方に２０°以上ずらしたときにのみ視界に入るようにして前記本体に設けられたものとすることができる。同様に、前記発光部は、前記ユーザが、視線を下方に２０°以上ずらしたときにのみ視界に入るようにして前記本体に設けられたものとすることができる。
こうすれば、ユーザが表示部または発光部を見る際には自然と伏し目がちとなるため、それによって副交感神経をはたらかせることができるようになる。
また、表示部と発光部はともに、上述したように、ユーザが視線を下方に２０°以上ずらしたときにのみ視界に入るようになっていればよいが、ユーザが視線を下方に７０°以下ずらしたときにのみ視界に入るようにすることもできる。これは、７０°を超えて下方を見るのは困難であり、ユーザにそれをあえて要求すると却って疲労を生じさせることになるからである。
また、表示部または発光部を見る際に要求される視線を下方にずらす角度が略４５°の場合には、ユーザの疲労がもっとも少なくなる可能性が大きい。この点を考慮すれば、表示部または発光部を見るときのユーザの視線の方向が、正面から下方に略４５°ずらした状態となるようにして本体に表示部または発光部を設けることができる。
なお、本発明における「下方」には、正面の下方と、左右斜め前の下方の双方を含む。
【手続補正５】
【補正対象書類名】明細書
【補正対象項目名】００１２
【補正方法】変更
【補正の内容】
【００１２】
表示部と発光部はともに、上述のように、ユーザが本体を頭部に装着して正面を見たときに視界から外れるとともに、ユーザが視線を下方にずらしたときにのみ視界に入るようにして本体に設けられていればよい。
すなわち、表示部は本体と一体成形されていてもよい。発光部も同様である。それらは、例えば、本体の一部に嵌め込まれていてもよい。そのような疲労回復支援装置は、表示部または発光部を本体に取り付ける必要がないので手軽に使用することができるが、表示部または発光部は、本体に対して本体の所定の位置に着脱自在に取り付けられるようになっていても構わない。
【手続補正６】
【補正対象書類名】明細書
【補正対象項目名】００１３
【補正方法】変更
【補正の内容】
【００１３】
表示部は一つでもよいが、複数であってもよい。発光部も同様である。例えば、表示部は、ユーザの右目の下側に位置する右目側表示部と、左目の下側に位置する左目側表示部とを含んでいてもよい。或いは、発光部は、ユーザの右目の下側に位置する右目側発光部と、左目の下側に位置する左目側発光部とを含んでいてもよい。
こうすれば、右目側表示部等の一端側から左目側表示部等の他端側にわたってオブジェクトの画像等を往復移動させることができるため、右目側表示部等または左目側表示部等のいずれか一方のみを有する場合よりも、より効果的にユーザの疲労を回復させることができるようになる。
【手続補正７】
【補正対象書類名】明細書
【補正対象項目名】００１４
【補正方法】変更
【補正の内容】
【００１４】
以上の表示部に表示されるオブジェクトの画像は、ユーザに対して水平方向に往復移動するようにすることができる。また、発光部の光像は、ユーザに対して水平方向に往復移動するようにすることができる。例えば、前記表示部は、所定の幅および長さを有しており、前記オブジェクトの画像は、前記表示部の長さ方向に往復移動するようになっていてもよい。また、前記発光部は、所定の幅および長さを有しており、前記光像は、前記発光部の長さ方向に往復移動するようになっていてもよい。
こうすれば、表示部または発光部の幅を減らすことができ、表示部または発光部の構成をコンパクトにすることができる。
【手続補正８】
【補正対象書類名】明細書
【補正対象項目名】００１５
【補正方法】変更
【補正の内容】
【００１５】
前記画像生成手段は、前記オブジェクトの画像を、前記ユーザの瞬きを促す契機となる変化を伴うようなものとして生成するものとしてもよい。また、前記発光信号生成手段は、前記光像を、前記ユーザの瞬きを促す契機となる変化を伴うようなものとして生成するものとしてもよい。
パソコン等の表示画面を長時間にわたって見続けると、瞬きの回数が著しく減少し、いわゆるドライアイの症状が生じやすくなる。この点、オブジェクトの画像または光像をユーザの瞬きを促す契機となる変化を伴うようなものとすれば、ユーザの瞬きを促すことができるため、ドライアイを防止することができる。
ユーザの瞬きを促す契機となる変化を伴うようなものとされるオブジェクトの画像は、瞬きを促す契機となる変化を伴うものであればどのような画像であってもよい。ユーザの瞬きを促す契機となる変化を伴うようなものとされる光像は、瞬きを促す契機となる変化を伴うものであればどのような光像であってもよい。
オブジェクトの画像にユーザの瞬きを促す契機となる変化を与えるには、例えば、オブジェクトの画像の少なくとも一部の色や形状を変化させてもよいし、オブジェクトの画像を点滅表示させてもよい。さらに、オブジェクトの画像の移動の速さを変えたり動き方を変化させてもよい。また、オブジェクトの画像に加えて、「瞬きをしましょう」等のユーザの瞬きを促すような文字を含む画像を表示してもよいし、瞬きを行う目の画像などのオブジェクト以外の他の画像を表示してもよい。
また、光像にユーザの瞬きを促す契機となる変化を与えるには、発光部を形成する複数の発光体のうちの一部の発光体の発光色を、他の発光体の発光色と異なるように構成するなどして、その他の発光体と異なる発光色の発光体が発光したときにユーザに瞬きをさせるようにしてもよいし、光像の移動の速さを変えたりしてもよい。また、ユーザに瞬きを促すための他の発光体と異なる発光色、または他の発光体と異なる光量の発光体を設けておき、その発光体が発光したときにユーザに瞬きをさせるようにしてもよい。
【手続補正９】
【補正対象書類名】明細書
【補正対象項目名】００１６
【補正方法】変更
【補正の内容】
【００１６】
前記画像生成手段は、前記オブジェクトの画像を、例えば、所定の時間おきの所定のタイミングで生成するようにしてもよい。同様に、前記発光信号生成手段は、前記光像を、例えば、所定の時間おきの所定のタイミングで生成するようにしてもよい。
こうすれば、例えば所定の時間が経過する度に、ユーザにオブジェクトの画像または光像を見るようにさせることができる。
【手続補正１０】
【補正対象書類名】明細書
【補正対象項目名】００１７
【補正方法】変更
【補正の内容】
【００１７】
本発明において、本体の形状はどのようなものでも構わない。表示部または発光部を設けることができ、且つユーザが本体を頭部に装着して正面を見たときに視界を確保できるようになっていることを阻害しないのであれば、それで足りる。
この本体は、例えば、メガネ形状に形成することができる。この場合のメガネ形状には、ゴーグル形状も含む。
メガネ形状である場合、本体は、下枠を有するメガネフレームを備えたものとすることができる。この場合には、前記表示部または前記発光部は、前記メガネフレームの下枠に設けられていてもよい。
また、メガネ形状である場合、本体は、メガネレンズを備えたものとすることができる。この場合には、表示部または発光部は、メガネフレームの下枠に取り付けることができる。表示部が、右目側表示部および左目側表示部を含むのであれば、右目側表示部は右目に対応した下枠に、左目側表示部は左目に対応した下枠に、それぞれ取り付けることができる。発光部が、右目側発光部および左目側発光部を含むのであれば、右目側発光部は右目に対応した下枠に、左目側発光部は左目に対応した下枠に、それぞれ取り付けることができる。もっとも、ここでいうメガネレンズは、度入りであるか否かを問わない。また、メガネレンズは、右目に対応したものと左目に対応したものが一連となっていても構わない。